(57)【要約】      （修正有）【課題】便利、快速、精確にファンブレードを風力発電機のローターの結合板に取り付ける固定構造を提供する。【解決手段】風力発電機のファンブレードの締め付け固定構造の一種で、そのファンブレード３０は一本のブレード柄３１に連接され、ブレード柄３１の左右側辺にはそれぞれ第一斜切辺３２を備え、ブレード柄はファンブレードと連接する一端からブレード柄の末端まで幅が逐次増える板状に現れる。風力発電機のローターは結合板４０をもって複数のファンブレードと連結し、結合板上には輪郭形状とサイズがブレード柄の輪郭形状とサイズとまったく同じな複数の凹槽４１を備え、それによってブレード柄は凹槽内に緊密に嵌め込むことができ、更に複数のボルト５０をもって締め付け固定され、風力発電機運転時にボルトが弛み、または切断してファンブレードが輻射方向へ射出する危険が防止される。【選択図】図２
0003151180.tif 000002
【実用新案登録請求の範囲】
【請求項１】
風力発電機のファンブレードの締め付け固定構造であって、
ファンブレード３０にはブレード柄３１を備え、ブレード柄３１は風力発電機のローターの結合板４０表面の凹槽４１に嵌め込まれ、並びに複数のボルト５０によってブレード柄３１と結合板４０を締め付け固定し、
ブレード柄３１の左右側辺にはそれぞれ第一斜切辺３２を備え、第一斜切辺３２はブレード柄３１をファンブレード３０と連接する一端からブレード柄３１の末端方向へ幅が逐次増えるようにし、
凹槽４１及びブレード柄３１の輪郭形状とサイズを同じにすることによってブレード柄３１は凹槽４１内に緊密に嵌め込むことができることを特徴とする、
風力発電機のファンブレードの締め付け固定構造。
【請求項２】
前記ブレード柄３１の左右側辺には更に第二斜切辺３３を備え、第一斜切辺３２と第二斜切辺３３は連接辺３４をもって連接し、それによってブレード柄３１の左右側辺の略中間に内向きの凹陥３５が形成され、第二斜切辺３３はブレード柄３１を連接辺３４と連接する個所からブレード柄３１の末端方向へ幅が逐次増えるように形成してあることを特徴とする、請求項１記載の風力発電機のファンブレードの締め付け固定構造。
【考案の詳細な説明】
【技術分野】
【０００１】
本考案は風力発電機のファンブレード（ｆａｎ  ｂｌａｄｅ）を発電機のローター（ｒｏｔｏｒ）に取り付ける技術に関するものである。
【背景技術】
【０００２】
図１は複数のファンブレード１０を風力発電機のローターに取り付ける結合板２０の技術を表したものである。前記ファンブレード１０は矩形の板状のブレード柄１１を備え、それは結合板２０表面の矩形凹槽２１内に嵌め込むことに用いられ、かつ二本のボルト（ｂｏｌｔ）１３をもってブレード柄１３と結合板２０を締め付け、ファンブレード１０を固定する目的が達成される。
【０００３】
実際の使用経験が示すように、二本のボルトで締め付ける技術は発電機の大きなファンブレードに良い固定効果を得ることができず、強風がファンブレードに吹き当たり及びファンブレードの回転時の遠心力はともにその二本のボルト１３を引き動かして弛んでしまう可能がある。ところが、ファンブレードが高速運転時にボルト１３の弛み、またはせん断等問題に遭遇した場合、ファンブレード１０は阻止されなく輻射方向へ射出し、予期できない危険が起こってしまう。その主な原因は矩形輪郭の直柄式ブレード柄１１と凹槽２１にあり、両者を結合するとそれの左右両側辺はともに直線型の接触に現れ、ファンブレード１０に遠心力が生じた場合、逆に案内の効果が形成し、ファンブレード１０は輻射方向へ射出する。
【考案の概要】
【考案が解決しようとする課題】
【０００４】
本考案はファンブレードの締め付け不十分の問題を解決するものである。
【課題を解決するための手段】
【０００５】
風力発電機のファンブレードの締め付け固定構造の一種で、そのファンブレードは一本のブレード柄に連接され、ブレード柄の左右側辺にはそれぞれ第一斜切辺を備え、ブレード柄はファンブレードと連接する一端からブレード柄の末端まで幅が逐次増える板状に現れる。風力発電機のローターは結合板をもって複数のファンブレードと連結し、結合板上には輪郭形状とサイズ（ｓｉｚｅ）がブレード柄の輪郭形状とサイズとまったく同じな複数の凹槽を備え、それによってブレード柄は凹槽内に緊密に嵌め込むことができ、更に複数のボルトをもって締め付け固定される。
【考案の効果】
【０００６】
本案には便利、快速、精確にファンブレードを風力発電機のローターの結合板に取り付ける機能がある。更にファンブレードのボルトが弛んだがファンブレードは依然高速に運転している場合、締め付け固定構造はファンブレードを緊密に止め、ファンブレードの遠心方向へ移動することを制限する機能が発揮され、それによってファンブレードが輻射方向へ射出する危険を防止する。
【図面の簡単な説明】
【０００７】
【図１】従来技術のファンブレードがローターの結合板に組み付けられたことを表す立体図である。
【図２】本案のファンブレードがローターの結合板に組み付けられたことを表す立体分解図である。
【図３】本案のファンブレードがローターの結合板に組み付けられたことを表す立体組み合わせ図である。
【図４】本案のファンブレードがローターの結合板に組み付けられたことを表す正面図である。
【図５】本案のファンブレードがローターの結合板に組み付けられたことを表す裏面図である。
【図６】図４中の６−６断面で、矢印の方向をもって構成される断面図である。
【図７】図４中の７−７断面で、矢印の方向をもって構成された断面図である。
【図８】本案が風力発電機に実施された意表図である。
【考案を実施するための形態】
【０００８】
図２から図５に示すのは複数のファンブレード３０が風力発電機のローターの結合板４０に結合された技術である。ファンブレード３０にはブレード柄３１を備え、ブレード柄３１は結合板４０表面の凹槽４１に嵌め込み、並びに二本のボルト５０によってブレード柄３１と結合板４０は締め付け固定される。
【０００９】
前記ブレード柄３１の左右側辺にはそれぞれ第一斜切辺３２を備え、第一斜切辺３２の設置はブレード柄３１をファンブレード３０と連接する一端からブレード柄３１の末端方向へ幅が逐次増えるように現れる。前記ブレード柄３１の左右側辺には他にそれぞれ第二斜切辺３３を備え、第一斜切辺３２と第二斜切辺３３は連接辺３４をもって連接し、それによってブレード柄３１の左右側辺の概して中間個所に内向きの凹陥３５が形成される。第二斜切辺３３の設置はブレード柄３１を連接辺３４と連接する個所からブレード柄３１の末端方向へ幅が逐次増えるように現れる。前記凹槽４１の輪郭形状とサイズはブレード柄３１の輪郭形状とサイズはまったく同じであるので、ブレード柄３１は凹槽４１内に緊密に嵌め込むことができる。
【００１０】
図６と図７の断面図から、ブレード柄３１を構成する輪郭側壁３６１、３６２はそれの頂上面３７及び底面３８と垂直に現れ、凹槽４１の輪郭側壁４６１、４６２も垂直の態様を保持し、ブレード柄３１の輪郭側壁３６１、３６２も垂直の態様を保持し、ブレード柄３１の輪郭側壁３６１、３６２と凹槽４１の輪郭側壁４６１、４６２は緊密に結合される。
【００１１】
前記ブレード柄３１の第一斜切辺３２と第二斜切辺３３を備える設計、及び前記凹槽４１と前記ブレード柄３１の形状とサイズが契合することに基ずき、ブレード柄３１は容易に凹槽４１に嵌め込んで定位を得ることができ、そのために各締め付けボルト５０を取り付ける場合はより省時省力になり、かつ第一斜切辺３２と第二斜切辺３３は前記ブレード柄３１の側辺に対して二重の防護を形成するので、ファンブレード３０は前記凹槽４１の中に緊密に止められ、強風の吹き付け及び回転時の遠心力を受ける能力が増やされ、ファンブレード３０の震動によってボルト５０が引っ張られる問題が減少し、ボルト５０の脱落の確率を低下する。たとえファンブレード３０が運転中に於いて（図８に示す如く）ボルト５０の弛みまたは切断等問題が発生したとしても、依然第一斜切辺３２と第二斜切辺３３の二重制限により、ファンブレード３０が遠心力に沿って飛び出すことが防止され、風力発電機の潜在的危険を大幅に下げることができる。
【符号の説明】
【００１２】
３０      ファンブレード
３１      ブレード柄
３２      第一斜切辺
３３      第二斜切辺
３４      連接辺
３５      凹陥
３６１    輪郭側壁
３６２    輪郭側壁
３７      頂上面
３８      底面
４０      結合板
４１      凹槽
４６１    輪郭側壁
４６２    輪郭側壁
５０      ボルト
【図１】
0003151180.tif 000003
【図２】
0003151180.tif 000004
【図３】
0003151180.tif 000005
【図４】
0003151180.tif 000006
【図５】
0003151180.tif 000007
【図６】
0003151180.tif 000008
【図７】
0003151180.tif 000009
【図８】
0003151180.tif 000010